(57)【特許請求の範囲】
【請求項１】
第１表示領域と、
第２表示領域と、
前記第１表示領域に対する入力を検出する第１検出部と、
前記第２表示領域に対する入力を検出する第２検出部と、
前記第１表示領域および前記第２表示領域の表示を制御する表示制御部を備え、
前記表示制御部は、
前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させ、
前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させる、
ことを特徴とする携帯端末装置。
【請求項２】
第１表示部と、
第２表示部と、
前記第１表示部に対する入力を検出する第１検出部と、
前記第２表示部に対する入力を検出する第２検出部と、
前記第１表示部および前記第２表示部の表示を制御する表示制御部と、
前記第２表示部に対する入力を無効および有効に設定する設定部と、を備え、
前記設定部は、
前記第１検出部により前記第１表示部に対する入力が検出されると、前記第２表示部に対する入力を無効に設定し、
前記第１検出部により前記第１表示部に表示された画像に対して前記画像を移動するための入力が検出されると、前記第２表示部に対する入力を有効に設定し、
前記表示制御部は、前記第１検出部により前記画像を移動するための入力が検出された後に前記設定部により前記第２表示部に対する入力が有効に設定されたとき、前記第２検出部により前記第２表示部に対する入力が検出されると、当該入力の位置に前記画像を移動する、
ことを特徴とする携帯端末装置。
【請求項３】
第１表示部と、
第２表示部と、
前記第１表示部に対する入力を検出する第１検出部と、
前記第２表示部に対する入力を検出する第２検出部と、
前記第１表示部および前記第２表示部の表示を制御する表示制御部と、
前記第２表示部に対する入力を無効および有効に設定する設定部と、を備え、
前記設定部は、
前記第１検出部により前記第１表示部に対する入力が検出されると、前記第２表示部に対する入力を無効に設定し、
前記第１検出部により前記第１表示部に表示された画像に対して前記画像を移動するための入力が検出された後に当該入力が検出されなくなると、前記第２表示部に対する入力を有効に設定し、
前記表示制御部は、前記第１検出部により前記画像を移動するための入力が検出された後に前記設定部により前記第２表示部に対する入力が有効に設定されたとき、前記第２検出部により前記第２表示部に対する入力が検出されると、当該入力の位置に前記画像を移動する、
ことを特徴とする携帯端末装置。
【請求項４】
第１表示領域と、第２表示領域と、前記第１表示領域に対する入力を検出する第１検出部と、前記第２表示領域に対する入力を検出する第２検出部とを備える携帯端末装置のコンピュータに、
前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させる機能と、
前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させる機能と、
を付与するプログラム。
【請求項５】
第１表示領域と、第２表示領域と、前記第１表示領域に対する入力を検出する第１検出部と、前記第２表示領域に対する入力を検出する第２検出部とを備える携帯端末装置の表示方法において、
前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させるステップと、
前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させるステップと、
を含むことを特徴とする表示方法。
【発明の詳細な説明】
【技術分野】
【０００１】
本発明は、携帯電話機やＰＤＡ（Personal Digital Assistant）等の携帯端末装置、プログラムおよび表示方法に関するものである。
【背景技術】
【０００２】
従来、携帯端末装置には２つの表示面を有するものがある。たとえば、この種の携帯端末装置において２つの表示面が外部に現れると、両方の表示面に対する入力が検出される（たとえば、特許文献１参照）。
【０００３】
このような２つの表示面のうちの一方の表示面に表示されたアイコンを他方の表示面に移動する場合、ユーザはアイコンに指をタッチし、アイコンに指をタッチしたまま、指を他方の表示面までスライドすることが考えられ得る。
【先行技術文献】
【特許文献】
【０００４】
【特許文献１】特開平９−３０５２６２号公報
【発明の概要】
【発明が解決しようとする課題】
【０００５】
上記の構成では、一方の表示面にアイコンが表示されている位置から、他方の表示面のアイコンを配置する位置までユーザは指をアイコンにタッチしたまま移動させる必要があり、手間がかかる。
【０００６】
特に、２つの表示面が並び表示領域が広い携帯端末装置ではアイコンを移動する距離が長くなることがあり、この場合、問題はより一層顕著になる。
【０００７】
本発明は、かかる課題に鑑みてなされたものであり、アイコンを容易に移動し得る、複数の表示部を有する携帯端末装置、プログラムおよび表示方法を提供することを目的とする。
【課題を解決するための手段】
【０００８】
本発明の第１の態様に係る携帯端末装置は、第１表示領域と、第２表示領域と、前記第１表示領域に対する入力を検出する第１検出部と、前記第２表示領域に対する入力を検出する第２検出部と、前記第１表示領域および前記第２表示領域の表示を制御する表示制御部を備える。ここで、前記表示制御部は、前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させ、前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させる。
【００１０】
本発明の第２の態様に係る携帯端末装置は、第１表示部と、第２表示部と、前記第１表示部に対する入力を検出する第１検出部と、前記第２表示部に対する入力を検出する第２検出部と、前記第１表示部および前記第２表示部の表示を制御する表示制御部と、前記第２表示部に対する入力を無効および有効に設定する設定部と、を備える。ここで前記設定部は、前記第１検出部により前記第１表示部に対する入力が検出されると、前記第２表示部に対する入力を無効に設定し、前記第１検出部により前記第１表示部に表示された画像に対して前記画像を移動するための入力が検出されると、前記第２表示部に対する入力を有効に設定する。また、前記表示制御部は、前記第１検出部により前記画像を移動するための入力が検出された後に前記設定部により前記第２表示部に対する入力が有効に設定されたとき、前記第２検出部により前記第２表示部に対する入力が検出されると、当該入力の位置に前記画像を移動する。
【００１１】
本発明の第３の態様に係る携帯端末装置は、第１表示部と、第２表示部と、前記第１表示部に対する入力を検出する第１検出部と、前記第２表示部に対する入力を検出する第２検出部と、前記第１表示部および前記第２表示部の表示を制御する表示制御部と、前記第２表示部に対する入力を無効および有効に設定する設定部と、を備える。ここで、前記設定部は、前記第１検出部により前記第１表示部に対する入力が検出されると、前記第２表示部に対する入力を無効に設定し、前記第１検出部により前記第１表示部に表示された画像に対して前記画像を移動するための入力が検出された後に当該入力が検出されなくなると、前記第２表示部に対する入力を有効に設定する。また、前記表示制御部は、前記第１検出部により前記画像を移動するための入力が検出された後に前記設定部により前記第２表示部に対する入力が有効に設定されたとき、前記第２検出部により前記第２表示部に対する入力が検出されると、当該入力の位置に前記画像を移動する。
【００１２】
本発明の第４の態様に係るプログラムは、第１表示領域と、第２表示領域と、前記第１表示領域に対する入力を検出する第１検出部と、前記第２表示領域に対する入力を検出する第２検出部とを備える携帯端末装置のコンピュータに、前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させる機能と、前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させる機能と、を付与する。
【００１３】
本発明の第５の態様に係る表示方法は、第１表示領域と、第２表示領域と、前記第１表示領域に対する入力を検出する第１検出部と、前記第２表示領域に対する入力を検出する第２検出部とを備える携帯端末装置の表示方法において、前記第１検出部が前記第１表示領域において画像が表示された第１の位置に対する第１の入力を検出した後に前記第２検出部が前記第２表示領域において第２の位置に第２の入力を検出した場合、前記第２検出部が前記第２の入力の検出を継続している間に前記第１検出部が前記第１の入力を検出しなくなると、前記画像を前記第１の位置から前記第２の位置に移動させるステップと、前記画像が前記第２の位置へ移動された後、前記第２検出部が前記第２の入力の検出を継続している間に前記第１検出部が前記第１表示領域において第３の位置に第３の入力を検出すると、前記画像を前記第２の位置から前記第３の位置に移動させるステップと、を含む。
【発明の効果】
【００１４】
本発明によれば、アイコンを容易に移動し得る、複数の表示部を有する携帯端末装置、プログラムおよび表示方法を提供することができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１６】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。す模式図である。
【図４】実施の形態に係るアイコンを移動する処理手順を示すフローチャートである。
【図５】実施の形態に係るアイコンの移動を説明するための模式図である。
【図６】他の実施の形態に係る携帯電話機の外観構成を示す図である。
【図７】他の実施の形態に係る携帯電話機の外観構成を示す図である。
【図８】他の実施の形態に係る携帯電話機の状態の切り替えを説明するための図である。
【発明を実施するための形態】
【００１７】
以下、本発明の実施の形態について、図面を参照して説明する。
【００１８】
なお、本実施の形態において、携帯電話機１がクレームに記載の「携帯端末装置」に相当する。第１ディスプレイ１１および第２ディスプレイ２１のいずれか一方がクレームに記載の「第１表示部」に相当し、他方がクレームに記載の「第２表示部」に相当する。第１タッチセンサ１２および第２タッチセンサ２２のいずれか一方がクレームに記載の「第１検出部」に相当し、他方がクレームに記載の「第２検出部」に相当する。ＣＰＵ１００がクレームに記載の「表示制御部」および「設定部」に相当する。ただし、上記クレームと本実施の形態との対応の記載はあくまで一例であって、クレームを本実施の形態に限定するものではない。
【００１９】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００２０】
第１キャビネット１０は、横長の直方体形状を有する。第１キャビネット１０の正面には、第１タッチパネルが配されている。第１タッチパネルは、第１ディスプレイ１１および第１タッチセンサ１２を含む。
【００２１】
第１ディスプレイ１１は、第１表示面１１ａ１に画像を表示する。第１ディスプレイ１１は、第１液晶パネル１１ａおよび第１バックライト１１ｂで構成されている。第１液晶パネル１１ａの前面に第１表示面１１ａ１が設けられる。第１表示面１１ａ１上に第１タッチセンサ１２が重ねられている。第１バックライト１１ｂは、１つまたは複数の光源を含み、第１液晶パネル１１ａを照明する。
【００２２】
第１タッチセンサ１２は、第１ディスプレイ１１に対する入力を検出する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その入力位置に応じた位置信号を出力する。なお、ユーザが第１表示面１１ａ１を触れるとは、たとえば、ユーザがペンなどの接触部材や指により第１表示面１１ａ１をタッチすることである。第１表示面１１ａ１にタッチした接触部材や指は静止してもよいし、移動してもよい。また、接触部材や指が第１表示面１１ａ１にタッチしている時間は短くても、長くてもよい。
【００２３】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２４】
また、第１キャビネット１０の内部には、前面近傍の中央位置に磁石１５が配されており、右前角部に磁石１６が配されている。
【００２５】
第１キャビネット１０の右側面および左側面には、突起部１７が設けられている。
【００２６】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１および第２タッチセンサ２２を含む。
【００２７】
第２ディスプレイ２１は第２表示面２１ａ１に画像を表示する。第２ディスプレイ２１は、第２液晶パネル２１ａおよび第２バックライト２１ｂで構成されている。第２液晶パネル２１ａの前面に第２表示面２１ａ１が設けられる。第２バックライト２１ｂは１つまたは複数の光源を含み、第２液晶パネル２１ａを照明する。なお、第１ディスプレイ１１および第２ディスプレイ２１は、有機ＥＬ等他の表示素子により構成されてもよい。
【００２８】
第２タッチセンサ２２は、第２ディスプレイ２１に対する入力を検出する。第２タッチセンサ２２は、第１タッチセンサ１２と同様の形状および構成を有する。第２タッチセンサ２２は、第２ディスプレイ２１の第２表示面２１ａ１を覆い、ユーザが触れた第２表示面２１ａ１上の位置を検出し、その入力位置に応じた位置信号を出力する。
【００２９】
第２キャビネット２０の内部には、後面近傍の中央位置に磁石２４が配されている。
この磁石２４と第１キャビネット１０の磁石１５とは、後述する開状態で互いに引き合うよう配置されている。
【００３０】
第２キャビネット２０の内部において、右前角部には閉鎖センサ２５が配されている。閉鎖センサ２５は、たとえば、ホールＩＣなどで構成され、磁石１６の磁力を検出すると、センサ信号を出力する。後述する閉状態で、第１キャビネット１０の磁石１６が閉鎖センサ２５に接近するので、センサ信号が閉鎖センサ２５からＣＰＵ１００へ出力される。一方、開状態になると、第１キャビネット１０の磁石１６が閉鎖センサ２５から離れるので、閉鎖センサ２５からセンサ信号が出力されない。
【００３１】
第２キャビネット２０の両側面にはそれぞれ２つの軸部２７が設けられている。
【００３２】
保持体３０は、底板部３１と、底板部３１の右端部に形成された右保持部３２と、底板部３１の左端部に形成された左保持部３３とで構成されている。
【００３３】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０に対して上方に押し上げる力を付与する。
【００３４】
右保持部３２の上面にはマイク３５および電源キー３６が配されている。左保持部３３の上面には、スピーカ３８が配されている。また、右保持部３２の外側面には、複数のハードキー３７が配されている。
【００３５】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３６】
携帯電話機１を組み立てる際には、軸部２７が案内溝３９の下溝３９ｂに挿入され、第２キャビネット２０が保持体３０の収容領域Ｒ内に配置される。突起部１７が案内溝３９の上溝３９ａに挿入され、第１キャビネット１０が第２キャビネット２０の上に配置され
、第１キャビネット１０が保持体３０の収容領域Ｒ内に収まる。
【００３７】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００３８】
図２（ａ）〜図２（ｄ）は、携帯電話機１を閉状態から開状態へ切り替えるための操作について説明するための図である。
【００３９】
図２（ａ）に示す閉状態では、第１キャビネット１０が第２キャビネット２０の上に重ねられて、携帯電話機１が畳まれる。閉状態では、第１キャビネット１０により第２表示面２１ａ１が覆われ、第１表示面１１ａ１のみが外部に露出する。
【００４０】
図２（ｂ）に示す矢印の方向に、第１キャビネット１０が後方に移動し、図２（ｃ）に示す矢印の方向に、第２キャビネット２０が前方へ引き出される。これにより、閉鎖センサ２５が磁石１６の磁力を検出せず、センサ信号を出力しなくなると、携帯電話機１は開状態に切り替えられる。この開状態では、第２表示面２１ａ１の一部が外部に現れる。
【００４１】
第２キャビネット２０が第１キャビネット１０に完全に重ならなくなると、図１に示す軸部２７が縦溝３９ｃにくる。これにより、軸部２７が縦溝３９ｃに沿って動き、第２キャビネット２０は上下に移動可能になる。このとき、コイルバネ３４の弾性力と、磁石１５および磁石２４の引力とにより、第２キャビネット２０は上昇する。
【００４２】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００４３】
なお、開状態は、図２（ｂ）〜図２（ｄ）に示すように、第２表示面２１ａ１の少なくとも一部と第１表示部１１ａ１とが外部に露出する。
【００４４】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０およびクロック３１１を備えている。
【００４５】
カメラモジュール１４はＣＣＤ等の撮像素子を有する。カメラモジュール１４は、撮像素子から出力された撮像信号をデジタル化し、その撮像信号にガンマ補正等の各種補正を施して映像エンコーダ３０１へ出力する。映像エンコーダ３０１は、カメラモジュール１４からの撮像信号にエンコード処理を施してＣＰＵ１００へ出力する。
【００４６】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４７】
キー入力回路３０３は、電源キー３６やハードキー３７の各キーが押されたときに、各キーに応じた入力信号をＣＰＵ１００へ出力する。
【００４８】
通信モジュール３０４は、ＣＰＵ１００からの情報を無線信号に変換し、アンテナ３０４ａを介して基地局へ送信する。また、通信モジュール３０４は、アンテナ３０４ａを介して受信した無線信号を情報に変換してＣＰＵ１００へ出力する。
【００４９】
バックライト駆動回路３０５は、ＣＰＵ１００からの制御信号に応じた電圧を第１バックライト１１ｂおよび第２バックライト２１ｂに印加する。第１バックライト１１ｂは、バックライト駆動回路３０５による電圧により点灯し、第１液晶パネル１１ａを照明する。第２バックライト２１ｂは、バックライト駆動回路３０５による電圧により点灯し、第２液晶パネル２１ａを照明する。
【００５０】
映像デコーダ３０６は、ＣＰＵ１００からの画像情報を第１液晶パネル１１ａおよび第２液晶パネル２１ａで表示できる映像信号に変換し、これらを液晶パネル１１ａ、２１ａに出力する。第１液晶パネル１１ａは、映像信号に応じた画像を第１表示面１１ａ１に表示する。第２液晶パネル２１ａは、映像信号に応じた画像を第２表示面２１ａ１に表示する。
【００５１】
音声デコーダ３０７は、ＣＰＵ１００からの音声信号と、着信音やアラーム音等の各種報知音の音信号とにデコード処理を施し、さらにアナログ信号に変換してスピーカ３８に出力する。スピーカ３８は、音声デコーダ３０７からの音声信号や音信号を再生する。
【００５２】
バッテリー３０９は、ＣＰＵ１００やＣＰＵ１００以外の各部へ電力を供給するためのものであり、二次電池からなる。バッテリー３０９は電源部３１０に接続されている。
【００５３】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５４】
クロック３１１は、時間を計測し、計測した時間を応じた信号をＣＰＵ１００へ出力する。
【００５５】
メモリ２００は、ＲＯＭおよびＲＡＭを含む。メモリ２００には、ＣＰＵ１００に制御機能を付与するための制御プログラムが記憶されている。
【００５６】
ＣＰＵ１００は、キー入力回路３０３からの入力信号および各タッチセンサ１２、２２からの位置信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話機能、電子メール機能、キーロック機能等の各種アプリケーションプログラム（以下、「アプリケーション」と言う。）を実行する。
【００５７】
ＣＰＵ１００は、設定部として、各表示面１１ａ１、２１ａ１に対する入力を無効または有効に設定する。各表示面１１ａ１、２１ａ１に対する入力が有効に設定されると、入力位置に応じた処理が実行される。また、各表示面１１ａ１、２１ａ１に対する入力が無効に設定されると、入力位置に基づいた処理が実行されない。
【００５８】
なお、入力の無効には、各タッチセンサ１２、２２がユーザからの入力を検出しない場合と、各タッチセンサ１２、２２が入力を検出しても、ＣＰＵ１００が各タッチセンサ１
２、２２からの入力に基づいた処理を実行しない場合とが含まれる。
【００５９】
たとえば、一方の表示面１１ａ１、２１ａ１に対して入力がなされると、他方の表示面１１ａ１、２１ａ１に対する入力が無効に設定される。
【００６０】
そして、一方の表示面１１ａ１、２１ａ１に対する入力が所定の機能を示す画像に対して所定の動作でなされた場合、画像の移動処理が開始される。画像の移動処理では、画像を移動するための入力が有効に設定され、移動以外の入力が無効に設定される。
【００６１】
所定の機能を示す画像としては、アイコンやウィジェットなどが挙げられる。ウィジェットには、受信したメールの内容を表示するもの、ＳＮＳに対する書き込み内容を表示するもの、株価、ニュースおよび天気などの情報を表示するもの、時計、カレンダー、辞書、ならびに、計算機などがある。
【００６２】
所定の動作とは、所定の機能を示す画像を特定して、特定した画像を移動する処理を開始するための操作を言う。たとえば、表示面にタッチしてからリリースするまで一定時間、所定の機能を示す画像を指でタッチする動作、所定機能を示す画像の周囲を囲むように表示面に指でタッチしたまま指を移動する動作、および所定機能を示す画像を所定時間内に所定回数タッチする動作などが挙げられる。
【００６３】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。なお、ＣＰＵ１００は、各表示面１１ａ１、２１ａ１に画像を表示する際のコントラスト、輝度、画面サイズ、および画面の透明度なども制御する。
【００６４】
たとえば、ＣＰＵ１００は所定機能を示す画像を各表示面１１ａ１、２１ａ１に表示する。また、画像の移動処理が開始され、画像を移動するための入力が有効に設定されると、ＣＰＵ１００は入力位置に画像の表示位置を移動する。
【００６５】
＜第１の実施形態の処理手順＞
図４は、アイコンを移動する処理手順を示すフローチャートである。図５（ａ）は、第１表示面１１ａ１のアイコンが所定時間以上指でタッチされた状態を示す図である。図５（ｂ）は、第２表示面２１ａ１が指でタッチされた状態を示す図である。図５（ｃ）は、第２表示面２１ａ１の入力位置にアイコンを移動した状態を示す図である。図５（ｄ）は、第１表示面１１ａ１の入力位置にアイコンを移動した状態を示す図である。
【００６６】
各表示面１１ａ１、２１ａ１においてアイコンを移動する処理がＣＰＵ１００により実行される。
【００６７】
まず、第１表示面１１ａ１に対する入力が監視される(Ｓ１０１)。
【００６８】
たとえば、第１表示面１１ａ１がユーザによりタッチされると、ＣＰＵ１００は、位置信号を第１タッチセンサ１２から受け、第１表示面１１ａ１に対して入力がなされたと判断する (Ｓ１０１:ＹＥＳ) 。
【００６９】
次に、入力の際における携帯電話機１の状態が閉状態であれば(Ｓ１０２:ＮＯ)、２つ
の表示面１１ａ１、２１ａ１の間でのアイコンの移動がないため、ＣＰＵ１００は、Ｓ１
０１の処理に戻り、入力をさらに監視する(Ｓ１０１)。
【００７０】
一方、携帯電話機１が開状態であれば(Ｓ１０２:ＹＥＳ)、第２表示面２１ａ１に対す
る入力が無効に設定される（Ｓ１０３）。これにより、第１表示面１１ａ１に対してアイコンを移動するための操作をユーザが行ったにも関わらず、第２表示面２１ａ１に誤って入力され、入力に応じた処理が実行されることが防止される。
【００７１】
そして、アイコンを移動するための操作がなされたか否かを判定するため、第１表示面１１ａ１のアイコンが所定時間以上タッチされたか否かが判断される（Ｓ１０４）。
【００７２】
たとえば、第１表示面１１ａ１のアイコンが指でタッチされても、タッチから所定時間以内に指がリリースされると、アイコンを移動するための操作がなされていないと判断される（Ｓ１０４：ＮＯ）。また、第１表示面１１ａ１においてアイコン以外の領域が所定時間以上指でタッチされても、アイコンの移動操作がなされていないと判断される（Ｓ１０４：ＮＯ）。これらの場合、第１表示面１１ａ１から指がリリースされるまで（Ｓ１０６：ＮＯ）、第２表示面２１ａ１に対する入力は無効に設定される。一方、第１表示面１１ａ１から指がリリースされると（Ｓ１０６：ＹＥＳ）、無効に設定されていた第２表示面２１ａ１に対する入力は有効に設定され（Ｓ１０７）、Ｓ１０１の処理に戻る。
【００７３】
Ｓ１０４の処理において、図５（ａ）に示すように、ユーザがアイコンを指で所定時間以上タッチすると、アイコンを移動するための操作がなされたと判断される（Ｓ１０４：ＹＥＳ）。これにより、タッチされたアイコンを移動するための処理が実行される。しかしながら、第１表示面１１ａ１がタッチされている間は（Ｓ１０８：ＮＯ）、第２表示面２１ａ１に対する入力は無効に設定されている。このため、図５（ｂ）に示すように、第２表示面２１ａ１に指がタッチされても、アイコンは第２表示面２１ａ１に移動しない。
【００７４】
第１表示面１１ａ１から指がリリースされると（Ｓ１０８：ＹＥＳ）、両方の表示面１１ａ１、２１ａ１に対し、アイコンの移動のための入力が有効に設定される。ＣＰＵ１００が表示面１１ａ１、２１ａ１に対する入力を有効に設定したとき、第２表示面２１ａ１がタッチされていると（Ｓ１０９：ＹＥＳ）、図５（ｃ）に示すように、アイコンは第２表示面２１ａ１の入力位置に移動する（Ｓ１１０）。
【００７５】
アイコンが第２表示面２１ａ１に移動した後、第１表示面１１ａ１が再びタッチされると（Ｓ１１１：ＹＥＳ）、図５（ｄ）に示すように、第２表示面２１ａ１に移動されたアイコンが第１表示面１１ａ１における入力位置に移動する（Ｓ１１２）。これにより、第２表示面２１ａ１がタッチされたままであっても、第１表示面１１ａ１に対する入力が優先されて、アイコンは第２表示面２１ａ１から第１表示面１１ａ１に戻る。
【００７６】
第１表示面１１ａ１にタッチした指がリリースされたとき（Ｓ１１３：ＹＥＳ）、第２表示面２１ａ１に指がタッチされていると（Ｓ１１４：ＹＥＳ）、図５（ｃ）に示すように、第２表示面２１ａ１の入力位置にアイコンが移動する（Ｓ１１０）。
【００７７】
なお、第１表示面１１ａ１から指がリリースされていない間（Ｓ１１３：ＮＯ）、第１表示面１１ａ１上を指が移動すると、入力位置に応じてアイコンの表示位置は第１表示面１１ａ１上を移動する（Ｓ１１２）。
【００７８】
また、Ｓ１１１の処理において、第１表示面１１ａ１において指がタッチされておらず（Ｓ１１１：ＮＯ）、第２表示面２１ａ１にタッチされた指がリリースされていなければ（Ｓ１１５：ＮＯ）、第２表示面２１ａ１のみがタッチされている。このため、第２表示面２１ａ１上で指が移動すると、第２表示面２１ａ１の入力位置に応じてアイコンが第２
表示面２１ａ１上を移動する（Ｓ１１０）。
【００７９】
さらに、Ｓ１０９の処理において、両方の表示面１１ａ１、２１ａ１が有効に設定されたとき、第２表示面２１ａ１に指がタッチされていなければ（Ｓ１０９：ＮＯ）、両方の表示面１１ａ１、２１ａ１がタッチされていない。また、Ｓ１１５の処理において、第２表示面２１ａ１から指がリリースされると（Ｓ１１５：ＹＥＳ）、両方の表示面１１ａ１、２１ａ１がタッチされていない。さらに、Ｓ１１４の処理において、第２表示面２１ａ１がタッチされていなければ（Ｓ１１４：ＮＯ）、両方の表示面１１ａ１、２１ａ１がタッチされていない。このような、両方の表示面１１ａ１、２１ａ１がタッチされていない場合（Ｓ１０９：ＮＯ、Ｓ１１５：ＹＥＳ、Ｓ１１４：ＮＯ）、アイコンを移動するための処理が終了し、両方の表示面１１ａ１、２１ａ１に対する入力が有効に設定される（Ｓ１１６）。
【００８０】
以上、本実施形態によれば、第１表示面１１ａ１のアイコンが所定時間以上タッチされることにより、アイコンの移動処理が開始される。このため、第２表示面２１ａ１がタッチされると、第１表示面１１ａ１のアイコンが第２表示面２１ａ１の入力位置に移動される。このように、ユーザは各表示面１１ａ１、２１ａ１をタッチするだけで、その入力位置にアイコンを移動することができ、操作性に優れる。
【００８１】
また、本実施形態によれば、第１表示面からの指のリリースにより第１表示面１１ａ１のアイコンが第２表示面２１ａ１に移動した後、第１表示面が再びタッチされると、第１表示面にアイコンが戻る。これにより、ユーザは、第２表示面に移動したアイコンを移動するための操作をしなくても、第１表示面にアイコンを戻すことができる。
【００８２】
しかも、図５（ａ）〜図５（ｄ）に示すように、ユーザは親指で各表示面１１ａ１、２１ａ１をタッチすると、ユーザは、携帯電話機１を両手で持ちながら、移動するアイコンをタッチしたり、アイコンの移動先をタッチしたりすることができ、利便性に優れる。
【００８３】
さらに、本実施形態によれば、第１表示面１１ａ１に対する入力が検出されると、第２表示面２１ａ１に対する入力が無効に設定される。これにより、ユーザがアイコンを移動するために第１表示面１１ａ１にタッチしている間、ユーザが第２表示面２１ａ１に誤ってタッチしても、第２表示面２１ａ１に対する入力に応じた処理が実行されない。このため、誤動作が防止されながら、アイコンを移動するための操作が行え得る。
【００８４】
さらに、本実施形態によれば、アイコンの移動処理の実行中では、第２表示面２１ａ１において、アイコンを移動するための入力は有効に設定されるが、他の入力は無効に設定される。よって、誤動作が防止されながら、ユーザの意図に応じた位置にアイコンが移動される。
【００８５】
＜その他の実施形態＞
以上、本発明の実施の形態について説明したが、本発明は、上記実施の形態によって何ら制限されるものではなく、また、本発明の実施の形態も、上記以外に種々の変更が可能である。
【００８６】
たとえば、上記実施形態では、第１表示面１１ａ１がタッチされ、携帯電話機１の状態が開状態であれば、第２表示面２１ａ１に対する入力が無効に設定された。これに対して、開状態で第１表示面１１ａ１のアイコンがタッチされると、第２表示面２１ａ１に対する入力が無効に設定されてもよい。
【００８７】
また、上記実施形態では、第１表示面１１ａ１に対して入力がなされると、第２表示面
２１ａ１に対する入力が無効に設定されたが、第２表示面２１ａ１に対する入力が有効に設定されたままでもよい。
【００８８】
この場合、第１表示面１１ａ１のアイコンがタッチされてから所定時間が経過するまでに、第２表示面２１ａ１のアイコンなどがタッチされると、アイコンに応じたアプリケーションなどが実行される。また、第１表示面１１ａ１のアイコンを移動する処理はキャンセルされる。
【００８９】
また、第１表示面１１ａ１のアイコンがタッチされてから所定時間が経過するまでに、第２表示面２１ａ１のアイコン以外の領域がタッチされても、入力位置に応じて実行する処理がない。このため、第１表示面１１ａ１がタッチされてから所定時間が経過すると、第１表示面１１ａ１のアイコンを移動する処理が開始され、第２表示面２１ａ１の入力位置にアイコンが移動される。
【００９０】
さらに、１表示面１１ａ１のアイコンがタッチされてから所定時間が経過するまで、第２表示面２１ａ１がタッチされなければ、第１表示面１１ａ１がタッチされてから所定時間を経過すると、第１表示面１１ａ１のアイコンを移動する処理が開始される。そして、処理の開始から所定時間内または所定操作がされるまでの間、アイコンの移動処理が実行され、第２表示面２１ａ１がタッチされると、その入力位置にアイコンが移動される。
【００９１】
さらに、上記実施形態では、アイコンを移動するための操作はされていないと判断されると、第１表示面１１ａ１から指がリリースされるまで、第２表示面２１ａ１に対する入力は無効に設定された。これに対して、アイコンを移動するための操作はされていないと判断された時点で、第２表示面２１ａ１に対する入力が有効に設定されてもよい。
【００９２】
また、上記実施形態では、アイコンが所定時間以上タッチされると、アイコンの移動処理が開始される。しかし、第１表示面１１ａ１から指がリリースされるまで第２表示面２１ａ１に対する入力は無効に設定された。これに対して、アイコンの移動処理が開始すると、第２表示面２１ａ１に対する入力は有効に設定されてもよい。この場合、アイコンの移動処理の開始時点または開始後に、第２表示面２１ａ１がタッチされると、アイコンは第２表示面２１ａ１の入力位置に移動する。
【００９３】
さらに、上記実施形態では、アイコンの移動処理が開始されると、両方の表示面１１ａ１、２１ａ１に対しアイコン移動のための入力が有効に設定され、これ以外の入力が無効に設定された。これに対して、各表示面１１ａ１、２１ａ１における全ての入力が有効に設定されてもよい。この場合、アイコンが表示されていない位置がタッチされるとアイコンが移動され、アイコンがタッチされると、アイコンの移動処理が終了し、タッチされたアイコンに応じた処理が実行される。
【００９４】
また、上記実施形態では、アイコンが第２表示面２１ａ１に移動した後、第２表示面２１ａ１がタッチされた状態でも、第１表示面１１ａ１が再びタッチされると、アイコンは第１表示面１１ａ１に戻った。これに対して、アイコンが第２表示面２１ａ１に移動した後、第２表示面２１ａ１から指がリリースされた時点で、第１表示面１１ａ１がタッチされていると、アイコンが第１表示面１１ａ１に移動してもよい。
【００９５】
さらに、上記実施形態では、第１表示面１１ａ１に対する入力が監視され、第１表示面１１ａ１上のアイコンが所定時間以上タッチされると、アイコンの移動処理が開始された。これに対し、第２表示面２１ａ１に対する入力が監視され、第２表示面２１ａ１上のアイコンが所定時間以上タッチされると、第１表示面１１ａ１に対する処理と第２表示面２１ａ１に対する処理とが入れ替えられて、上記と同様のアイコンの移動処理が開始される
。
【００９６】
また、上記実施形態では、第１表示面１１ａ１がタッチされると、第２表示面２１ａ１が無効に設定された。これに対して、第２表示面２１ａ１が先にタッチされれば、第１表示面１１ａ１が無効に設定されてもよい。
【００９７】
さらに、上記実施形態では、アイコンの移動処理では、第２表示面２１ａ１がタッチされると、その入力位置にアイコンが移動した。これに対して、第２表示面２１ａ１のフォルダがタッチされると、フォルダ内にアイコンが移動してもよい。また、第２表示面２１ａ１に表示されたゴミ箱アイコンがタッチされると、アイコンを消去する処理が実行されてもよい。なお、ゴミ箱アイコンは、その上に移動された画像を消去するためのアイコンである。
【００９８】
また、上記実施の形態では、保持体３０により、第１キャビネット１０と第２キャビネット２０とが開閉可能に保持されている。しかしながら、本発明はこれに限定されない。たとえば、図６および図７に示すように、両キャビネット１０、２０が連結部４０により連結されても良い。
【００９９】
図６（ａ）は、閉状態の携帯電話機１の構成を示す斜視図、図６（ｂ）は、開状態の携帯電話機１の構成を示す斜視図である。図７(ａ)は、チルト状態の携帯電話機１を、第１キャビネット１０の手前側から見た斜視図、図７(ｂ)は、チルト状態の携帯電話機１を、第１キャビネット１０の奥側から見た斜視図である。
【０１００】
連結部４０の中央フレーム４１は、左右に延びる形状を有する。中央フレーム４１の右端は、第１右フレーム４２の一端および第２右フレーム４４の一端に接続する。中央フレーム４１の左端は、第１左フレーム４３の一端および第２左フレーム４５の一端に接続する。
【０１０１】
第１右フレーム４２および第１左フレーム４３の他端には、それぞれ左右方向に延びる軸(図示せず)が配される。この軸が、第１キャビネット１０の左右の側面部に配された溝部１８により挟まれ、溝部１８に沿ってスライド移動可能に第１キャビネット１０に保持される。これにより、第１キャビネット１０が、軸を中心に回転可能、且つ溝部１８に沿って上下方向にスライド可能に、第１右フレーム４２および第１左フレーム４３により保持される。
【０１０２】
第２右フレーム４４および第２左フレーム４５は、左右方向を軸として第２キャビネット２０を回転可能に保持する。
【０１０３】
図８（ａ）のように、携帯電話機１が閉状態にあるとき、第１キャビネット１０が破線矢印に示す手前方向へ移動されると、図８（ｂ）に示す如く、第１キャビネット１０の背面が第２キャビネット２０の前面から離れる。このとき、第１キャビネット１０の移動に応じて、連結部４０は、時計回りの方向へ回転（実線矢印）される。
【０１０４】
破線矢印に示す如く、第１表示面１１ａ１が下側を向くように第１キャビネット１０が回転されると、携帯電話機１は、図８（ｃ）の配置状態を介して、図８（ｄ）のチルト状態に至る。チルト状態において、第１キャビネット１０の背面の下側は、連結部４０に当接する。
【０１０５】
第１キャビネット１０の背面の下側が連結部４０に当接した状態が保たれたまま、連結部４０がさらに時計回りの方向（図８(ｄ)の破線矢印）へ回転されると、図８（ｅ）のよ
うに、第１表示面１１ａ１と第２表示面２１ａ１とが略一面になる。
【０１０６】
図８（ｅ）において、第１キャビネット１０および第２キャビネット２０との間には、間隙（数ミリメートル）が存在する。第１キャビネット１０を、第２キャビネット２０に対して下方向（一点鎖線矢印）へスライドさせると、図８（ｆ）のように、携帯電話機１は開状態へ至る。このとき、第１キャビネット１０の下側側面と、第２キャビネット２０の上側側面とが互いに接する。
【０１０７】
さらに、上記実施形態において、図６に示すように、第１および第２キャビネット１０、２０の前面にキー群１９、２９が配されていてもよい。キー群１９、２９は、ホームキー１９Ｈ、２９Ｈ、バックキー１９Ｂ、２９Ｂ、およびランチャーキー１９Ｒ、２９Ｒを含む。ホームキー１９Ｈ、２９Ｈがタッチされると、ホーム画面が第１および第２表示面１１ａ１、２１ａ１に表示される。バックキー１９Ｂ、２９Ｂがタッチされると、アプリケーションの実行の際に第１および第２表示面１１ａ１、２１ａ１に表示される画面がひとつ戻る。ランチャーキー１９Ｒ、２９Ｒがタッチされると、アプリケーションの起動のためのアイコンを含むアプリケーション起動画面（ランチャー画面）が第１および第２表示面１１ａ１、２１ａ１に表示される。
【０１０８】
また、上記実施形態では、携帯電話機１を用いたが、ＰＤＡや携帯ゲーム機などの携帯端末装置を用いることもできる。
【０１０９】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１１０】
１  携帯電話機
１１  第１ディスプレイ
１２  第１タッチセンサ
２１  第２ディスプレイ
２２  第２タッチセンサ
１００  ＣＰＵ
【図１】
0005754770.tif 000002
【図２】
0005754770.tif 000003
【図３】
0005754770.tif 000004
【図４】
0005754770.tif 000005
【図５】
0005754770.tif 000006
【図６】
0005754770.tif 000007
【図７】
0005754770.tif 000008
【図８】
0005754770.tif 000009